(57)【要約】【課題】安価で装着感が良く高感度な呼吸検出装置を提供することにある。【解決手段】粘着シートを介して被験者の腹部に装着される装置本体１と、この装置本体１と腹部Ａとの間に介挿されるエアバッグ２と、を具え、前記装置本体１は、前記エアバッグ２内の空気の圧力変化に基づき被験者の呼吸を検出して出力する計測ユニット５と、その計測ユニット５に電源を供給する電池６とを有することを特徴とする呼吸検出装置である。【選択図】図１
2014102961.tif 000002
【特許請求の範囲】
【請求項１】
粘着シートを介して被験者の腹部に装着される装置本体と、この装置本体と腹部との間に介挿されるエアバッグと、
を具え、
前記装置本体は、前記エアバッグ内の空気の圧力変化に基づき被験者の呼吸を検出して出力する計測ユニットと、その計測ユニットに電源を供給する電池とを有することを特徴とする呼吸検出装置。
【請求項２】
粘着シートを介して被験者の腹部に装着される装置本体と、この装置本体と腹部との間に介挿されるエアバッグと、
を具え、
前記装置本体は、当該装置本体が前記エアバッグから受ける押圧力の変化に基づき被験者の呼吸を検出して出力する計測ユニットと、その計測ユニットに電源を供給する電池とを有することを特徴とする呼吸検出装置。
【請求項３】
前記エアバッグ内に空気を圧送するエアポンプを具えていることを特徴とする、請求項１または２記載の呼吸検出装置。
【請求項４】
粘着シートを有するとともに装置本体と着脱可能に掛合する掛合部を有するコネクタを具えていることを特徴とする、請求項１または２記載の呼吸検出装置。
【請求項５】
前記コネクタまたは前記装置本体の掛合部は基部と交差する腕部を持つ断面形状を有して前記粘着シートに沿って延在し、前記装置本体または前記コネクタの対応する断面形状の溝部内にその掛合部の延在方向に挿入されて掛合するものであることを特徴とする、請求項４記載の呼吸検出装置。
【請求項６】
前記コネクタの掛合部は前記粘着シートに沿って直線状または円弧状に延在するものであることを特徴とする、請求項５記載の呼吸検出装置。
【発明の詳細な説明】
【技術分野】
【０００１】
この発明は、人の呼吸を検出する呼吸検出装置に関し、特には安価で装着感が良く高感度な呼吸検出装置に関するものである。
【背景技術】
【０００２】
呼吸の検出は、主に睡眠時無呼吸症候群の検査に用いられ、従来の呼吸検出装置としては例えば、鼻腔下部に取り付けるサーミスタあるいは鼻腔下部の熱画像処理により鼻腔下部の温度変化を検出するもの（特許文献１参照）や、胸部に検出ベルトを巻いて呼吸に伴う肺の体積変化をインピーダンス変化として検出するもの、さらには超音波を呼吸気に通して計測した炭酸ガス濃度の変化から呼吸を検出するもの（特許文献２参照）が知られている。
【先行技術文献】
【特許文献】
【０００３】
【特許文献１】特開平０９−２５３０７１号公報
【特許文献２】特開２００５−１５２２８７号公報
【発明の概要】
【発明が解決しようとする課題】
【０００４】
しかしながら上述の如き従来の呼吸検出装置は、サーミスタ方式のものでは、安価で確実であるが装着感が悪いという問題がある。また、熱画像処理方式のものでは、装着の必要はないが装置が高価で、寝姿勢によっては検出が難しいという問題があり、装置を被検者から離して置くため他の検出データとリンクさせるのが面倒という問題もある。【０００５】
さらに、インピーダンス方式のものでは、装置が大掛かりであり、装着感が悪いという問題もある。そして、超音波方式のものでは、熱画像処理方式よりは安いものの装置が高価であり、熱画像処理方式と同様に装置を被検者から離して置くため他の検出データとリンクさせるのが面倒という問題もある。
【課題を解決するための手段】
【０００６】
この発明は、上記従来の呼吸検出装置の課題を有利に解決する安価で装着感が良く高感度な呼吸検出装置に関するものであり、この発明の呼吸検出装置は、粘着シートを介して被験者の腹部に装着される装置本体と、この装置本体と腹部との間に介挿されるエアバッグと、を具え、前記装置本体は、前記エアバッグ内の空気の圧力変化に基づき被験者の呼吸を検出して出力する計測ユニットと、その計測ユニットに電源を供給する電池とを有することを特徴とするものである。【０００７】
また、この発明の呼吸検出装置は、粘着シートを介して被験者の腹部に装着される装置本体と、この装置本体と腹部との間に介挿されるエアバッグと、を具え、前記装置本体は、当該装置本体が前記エアバッグから受ける押圧力の変化に基づき被験者の呼吸を検出して出力する計測ユニットと、その計測ユニットに電源を供給する電池とを有することを特徴とするものである。
【発明の効果】
【０００８】
かかる呼吸検出装置にあっては、装置本体と被験者の腹部との間にエアバッグを介挿した状態で粘着シートを介して装置本体を被験者の腹部に装着すると、その装置本体が有する計測ユニットが、同じく装置本体が有する電池から電源を供給されて作動して、被験者の腹部から押圧力を受けるエアバッグ内の空気の圧力変化または当該装置本体が前記エアバッグから受ける押圧力の変化を測定し、その変化に基づき被験者の呼吸を検出して出力する。【０００９】
従って、この発明の呼吸検出装置によれば、主として装置本体とエアバッグとを具えてなる簡易かつ安価な構成で被験者の呼吸を検出することができ、また、装置本体とエアバッグの面積を大きくすることで、腹部からエアバッグに加わる圧力を大きくして呼吸の検出感度を容易に高めることができ、さらにエアバッグが被験者の腹部から押圧力を受けるので、エアバッグ内の空気の圧力変化または当該装置本体が前記エアバッグから受ける押圧力の変化から被験者の腹圧や心拍等の生態情報も検出することができ、そして装置本体を腹部に装着するだけなので、被験者の装着感を良好ならしめることができる。【００１０】
なお、この発明の呼吸検出装置においては、前記エアバッグ内に空気を圧送するエアポンプをさらに具えていても良い。このようにすれば、エアポンプを用いてエアバッグの装着圧を適正に維持することができる。なお、エアポンプは装置本体内に内蔵していてもよく、このようにすれば、いつでもエアバッグの装着圧を適正に維持することができる。一方エアポンプは装置本体に着脱可能に接続してもよく、このようにすれば、装置本体をコンパクトに構成することができる。【００１１】
また、この発明の呼吸検出装置においては、粘着シートを有するとともに装置本体と着脱可能に掛合する掛合部を有するコネクタをさらに具えていても良い。このようにすれば、呼吸検出を行わない例えば昼間の間は、粘着シートを被験者の腹部に張付けたままで装置本体およびエアバッグを被験者の腹部から取り外して、被験者の負担を軽減しつつ、装置本体の計測ユニットにそれが記憶している呼吸検出データ等を出力させることができる。【００１２】
さらに、この発明の呼吸検出装置においては、前記コネクタまたは前記装置本体の掛合部は基部と交差する腕部を持つＬ字状またはＴ字状等の断面形状を有して前記粘着シートに沿って延在し、前記装置本体または前記コネクタの対応する断面形状の溝部内にその掛合部の延在方向に挿入されて掛合するものであっても良い。このようにすれば、掛合部が粘着シートの上下方向および掛合部の延在方向と交差する粘着シートの延在方向の二方向について装置本体を拘束するので、粘着シートが柔軟でコネクタの姿勢が変化してもコネクタが装置本体から意図せずに外れることがない。【００１３】
さらに、この発明の呼吸検出装置においては、前記コネクタの掛合部は前記粘着シートに沿って直線状または円弧状に延在するものであっても良い。このようにすれば、その掛合部の延在方向に沿って装置本体を直線的にスライドさせまたは回動させることで、コネクタに対し装置本体を容易に着脱することができる。
【図面の簡単な説明】
【００１４】
【図１】この発明の呼吸検出装置の一実施例としての呼吸センサの構成を示す断面図である。
【図２】上記実施例の呼吸センサの計測ユニットの構成を示すブロック線図である。
【図３】この発明の呼吸検出装置の他の一実施例としての呼吸センサの構成を示す断面図である。
【図４】上記実施例の呼吸センサの計測ユニットの構成を示すブロック線図である。
【図５】上記各実施例におけるエアポンプの他の構成例を示す断面図である。
【図６】上記各実施例におけるエアポンプのさらに他の構成例を示す断面図である。
【図７】（ａ），（ｂ）は、上記各実施例における粘着シートを有するコネクタの構成例をそれぞれ示す斜視図である。
【図８】（ａ），（ｂ）は、上記各実施例における二方向掛合部の構成例をそれぞれ示す斜視図である。
【図９】（ａ），（ｂ），（ｃ）は、上記各実施例における二方向掛合部と一方向掛合部の機能の相違を示す説明図である。
【図１０】（ａ），（ｂ）は、上記各実施例における二方向掛合部の他の構成例をそれぞれ示す斜視図である。
【図１１】上記各実施例における二方向掛合部の他の構成例を示す斜視図である。
【図１２】上記各実施例における二方向掛合部の他の構成例を示す斜視図である。
【発明を実施するための形態】
【００１５】
以下、本発明の実施の形態を実施例によって、図面に基づき詳細に説明する。ここに図１は、この発明の呼吸検出装置の一実施例としての呼吸センサの構成を示す断面図、また図２は、この実施例の呼吸センサの計測ユニットの構成を示すブロック線図であり、図中符号Ａは被験者の腹部、１は装置本体、２はエアバッグ、３は粘着シート、４はコネクタをそれぞれ示し、装置本体１の、開閉可能な筐体１ａ内には、計測ユニット５と電池６とが収納されている。
【００１６】
ここで、装置本体１は、図１に示すように、粘着シート３を有するコネクタ４を介して被験者の腹部Ａに装着され、エアバッグ２は、その装置本体１と腹部Ａとの間に介挿され、計測ユニット５は、エアバッグ２内の空気の圧力変化に基づき被験者の呼吸を検出して出力し、電池６は、例えばボタン電池からなり、計測ユニット５に電源を供給する。
【００１７】
この計測ユニット５は、図２に示すように、Ａ／Ｄコンバータ５ａと、ＣＰＵ（中央処理ユニット）５ｂと、メモリ（またはメモリカード）５ｃと、フィルタ５ｄと、アンプ５ｅと、ドライバ５ｆと、センサ５ｇと、リリースバルブ５ｈと、エアポンプ５ｉとを有しており、ここで、エアポンプ５ｉは、例えば携帯電話機のバイブレータ用のものの如き超小型モータでピストンを駆動してエアバッグ２内に空気を圧送し、センサ５ｇは、エアバッグ２内の空気圧を検出してその空気圧を示す空気圧信号をアンプ５ｅに送り、アンプ５ｅは、その空気圧信号を増幅してフィルタ５ｄに送り、フィルタ５ｄは、その増幅された空気圧信号からノイズとなる高周波成分を除去してその空気圧信号をＡ／Ｄコンバータ５ａに送り、Ａ／Ｄコンバータ５ａは、その空気圧信号をアナログ信号からデジタル信号に変換してＣＰＵ５ｂに送る。
【００１８】
そしてＣＰＵ５ｂは、メモリ５ｃ内にあらかじめ与えられたプログラムに基づき作動して、その空気圧信号を空気圧データとして計測時刻と併せてメモリ５ｃに記憶させるとともに、その空気圧信号が示す空気圧が適正範囲になるようにドライバ５ｆに制御信号を送り、ドライバ５ｆは、その制御信号に基づきエアポンプ５ｉを作動させてエアバッグ２内の空気圧を高め、あるいはリリースバルブ５ｈを作動させてエアバッグ２内の空気を放出させることでその空気圧を下げる。
【００１９】
これにより、この実施例の呼吸センサは、例えば一晩中の被験者の呼吸をエアバッグ２内の空気圧の変化として検出してその空気圧データをメモリ５ｃ内に記憶し、その空気圧データを例えば図示しない既知の赤外線通信部あるいは誘導式通信部等を介して、あるいはメモリカードの抜出し等によって出力する。
【００２０】
従って、この実施例の呼吸センサによれば、主として装置本体１とエアバッグ２とを具えてなる簡易かつ安価な構成で被験者の呼吸を例えば一晩中等の一定期間検出し、睡眠時無呼吸症候群等の診断に用いることができ、また、装置本体１とエアバッグ２の面積を大きくすることで、腹部からエアバッグ２に加わる圧力を大きくして呼吸の検出感度を容易に高めることができ、さらにエアバッグ２が被験者の腹部から押圧力を受けるので、エアバッグ２内の空気の圧力変化から被験者の腹圧や心拍等の生態情報も検出することができ、そして装置本体１を腹部に装着するだけなので、被験者の装着感を良好ならしめることができる。
【００２１】
図３は、この発明の呼吸検出装置の他の一実施例としての呼吸センサの構成を示す断面図、また図４は、この実施例の呼吸センサの計測ユニットの構成を示すブロック線図であり、この実施例の呼吸センサは、主にセンサ５ｇに代えて受圧板７とロードセル８とを用いている点で先の実施例と異なっているので、以下にはその相違点について説明し、図中、先の実施例と同様の部分はそれと同一の符号にて示す。
【００２２】
すなわち、この実施例の呼吸センサでは、計測ユニット５にセンサ５ｇを設ける代わりに、エアバッグ２の、装置本体１に向く面に硬い受圧板７を固着して設けるとともに、装置本体１の裏面（図３では下面）とその受圧板７との間に、ロードセル８を介挿している。ここで、受圧板７は例えば、エアバック２と概ね同じ３〜６ｃｍ程度の大きさとする。これにより腹部Ａへの装着感を良好にすることができる。また、ロードセル８は例えば、周囲を装置本体１と受圧板７との一方に結合されると共に中央を装置本体１と受圧板８との他方に結合された図示しない弾性板と、その弾性板の表面にその中央を中心とした正方形の各辺をなすように貼り付けられて互いにブリッジ接続された４枚の歪ゲージとで構成する。これにより、受圧板７にエアバック２を介して腹部Ａから加わる圧力を高精度に計測することができる。
【００２３】
計測ユニット５においては、エアポンプ５ｉは、エアバッグ２内に空気を圧送し、ロードセル８は、受圧板７に腹部Ａから加わる圧力を計測してその圧力を示す圧力信号をアンプ５ｅに送り、アンプ５ｅは、その圧力信号を増幅してフィルタ５ｄに送り、フィルタ５ｄは、その増幅された圧力信号からノイズとなる高周波成分を除去してその圧力信号をＡ／Ｄコンバータ５ａに送り、Ａ／Ｄコンバータ５ａは、その圧力信号をアナログ信号からデジタル信号に変換してＣＰＵ５ｂに送る。
【００２４】
そしてＣＰＵ５ｂは、メモリ５ｃ内にあらかじめ与えられたプログラムに基づき作動して、その圧力信号を圧力データとして計測時刻と併せてメモリ５ｃに記憶させるとともに、その圧力信号が示す圧力が適正範囲になるようにドライバ５ｆに制御信号を送り、ドライバ５ｆは、その制御信号に基づきエアポンプ５ｉを作動させてエアバッグ２内の空気圧を高め、あるいはリリースバルブ５ｈを作動させてエアバッグ２内の空気を放出させることでその空気圧を下げる。
【００２５】
これにより、この実施例の呼吸センサは、例えば一晩中の被験者の呼吸を、エアバッグ２を介した受圧板７からの圧力の変化として検出してその圧力データをメモリ５ｃ内に記憶し、その圧力データを例えば図示しない既知の赤外線通信部あるいは誘導式通信部等を介して、あるいはメモリカードの抜出し等によって出力する。
【００２６】
従って、この実施例の呼吸センサによれば、先の実施例と同様の作用効果を奏することができ、その際、被験者の呼吸の検出をより高精度に行うことができる。
【００２７】
図５は、上記各実施例におけるエアポンプの他の構成例を示す断面図であり、この例では、モータで駆動するエアポンプ５ｉに代えて、装置本体１の筐体１ａの一部を搖動可能なレバー１ｂとし、筐体１ａ内に設けたエアポンプ９をこのレバー１ｂの搖動で駆動してエアバッグ２内に空気を圧送するようにしている。そしてエアポンプ９とエアバッグ２との間にエアポンプ９からエアバッグ２への空気の通流のみ許容するチェックバルブ付きのリリースバルブ５ｈを介挿するとともに、筐体１ａの外面に、ＣＰＵ５ｂと接続したＬＥＤ等のインジケータ１０を設け、そのインジケータ１０に、センサ５ｇが検出したエアバッグ２内の空気圧が適正範囲内の場合は例えば青色を、またエアバッグ２内の空気圧が適正範囲外の場合は例えば赤色を点灯させる。このインジケータ１０には他に、計測中の呼吸や拍動を表示させることもできる。このように、エアバッグ２内に空気を圧送するエアポンプ５ｉやエアポンプ９を装置本体１内に具えていれば、いつでもエアポンプを用いてエアバッグの装着圧を適正に維持することができる。
【００２８】
図６は、上記各実施例におけるエアポンプのさらに他の構成例を示す断面図であり、この例では、装置本体１の筐体１ａに内蔵するエアポンプに代えて筐体１ａ外に、カプラ１１を介して着脱可能に接続するシリンジ型のエアポンプ１２を設け、このエアポンプ１２でエアバッグ２内に空気を圧送するようにしている。そしてエアポンプ１２とエアバッグ２との間に、エアポンプ１２からエアバッグ２への空気の通流のみ許容するチェックバルブ付きのリリースバルブ５ｈを介挿するとともに、筐体１ａの外面に、ＣＰＵ５ｂと接続したＬＥＤ等のインジケータ１０を設け、そのインジケータ１０に、先の例と同様、センサ５ｇが検出したエアバッグ２内の空気圧が適正範囲内の場合は例えば青色を、またエアバッグ２内の空気圧が適正範囲外の場合は例えば赤色を点灯させる。このインジケータ１０も他に、計測中の呼吸や拍動を表示させることもできる。このようにエアポンプ１２を装置本体に着脱可能に接続すれば、エアポンプを用いてエアバッグの装着圧を適正に維持することができるとともに、装置本体１をコンパクトに構成することができる。
【００２９】
図７（ａ），（ｂ）は、上記各実施例における粘着シートを有するコネクタの構成例をそれぞれ示す斜視図であり、粘着シート３は、図７（ａ）に示すように、二つのコネクタ４の間に所定の間隔があくようにそれらのコネクタ４の下面に固着されるとともに、エアバッグ２を下から被覆する穴なしのものでもよく、また図７（ｂ）に示すように、二つのコネクタ４の間に所定の間隔があくようにそれらのコネクタ４の下面に固着されるとともにエアバッグ２を露出させる穴３ａを持つものでもよい。なお、粘着シート３は、図７では下向きの面に有する粘着剤によって腹部Ａに装着することができる。このように粘着シート３を有するコネクタ４を具えることで、呼吸検出を行わない例えば昼間の間は、粘着シート３を被験者の腹部Ａに張付けたままで装置本体１およびエアバッグ２を被験者の腹部Ａから取り外して、被験者の負担を軽減しつつ、装置本体１の計測ユニット５にそれが記憶している呼吸検出データ等を出力させることができる。
【００３０】
図８（ａ），（ｂ）は、上記各実施例におけるコネクタおよび装置本体の二方向掛合部の構成例をそれぞれ示す斜視図であり、上記各実施例におけるコネクタ４は、挿入方向と直交するとともに互いに直交する二方向に掛合する二方向掛合部４ａを有しており、図８（ａ）に示す二方向掛合部４ａは、基部４ｂと、その基部４ｂと直交する腕部４ｃとを持つＬ字状の断面形状を有して粘着シート３に沿って直線状に延在し、装置本体１の対応する断面形状の溝部１ｃ内に、その掛合部４ａの延在方向に図中矢印で示すように直線的に挿入されて掛合する。また、図８（ｂ）に示す二方向掛合部４ａは、基部４ｂと直交する腕部４ｃを持つＬ字状の断面形状を有して粘着シート３に沿って円弧状に延在し、装置本体１の対応する断面形状の溝部１ｃ内に、その掛合部４ａの延在方向に図中矢印で示すように回動されて挿入されて掛合する。
【００３１】
図９（ａ），（ｂ），（ｃ）は、上記各実施例における二方向掛合部と一方向掛合部の機能の相違を示す説明図であり、図９（ａ）に示す二方向掛合部４ａは、図では紙面と直交する方向である挿入方向と直交するとともに互いに直交する、図では上下方向および左右方向の二方向について、装置本体１の対応する断面形状の溝部１ｃと掛合する。この二方向掛合部４ａは、粘着シート３の上下方向および掛合部４ａの延在方向と交差する粘着シート３の延在方向の二方向について装置本体１を拘束するので、粘着シート３が柔軟でコネクタ４の姿勢が変化してもコネクタが装置本体から意図せずに外れることがない。これに対し図９（ｂ）に示す一方向掛合部４ａは、装置本体１のフランジ部１ｄと上下方向に掛合するのみであるため、粘着シート３の撓みによってコネクタ４の姿勢が変わると装置本体１のフランジ部１ｄから外れてしまう可能性がある。なお、二方向掛合部においても腹部への当該呼吸センサの装着中の抜け止めのために、例えばコネクタ４の掛合部４ａの腹部への装着時に下側になる端部や、装置本体１の溝部１ｃの腹部への装着時に上側になる端部等に、他方の掛合部の端部等と当接するストッパを設けておいても良い。
【００３２】
図１０（ａ），（ｂ）は、上記各実施例における二方向掛合部の他の構成例をそれぞれ示す斜視図であり、図１０（ａ）に示す掛合部１ｅは、装置本体１の端部側面から突出する基部１ｆと、その基部１ｆと直交する腕部１ｇとを持つＴ字状の断面形状を有して粘着シート３に沿って直線状または円弧状に延在し、コネクタ４の対応する断面形状の溝部４ｄ内に、その掛合部１ｅの延在方向に直線的にまたは回動されて挿入される。また、図１０（ｂ）に示す掛合部４ａは、コネクタ４の基台４ｅからＬ字状に突出する基部４ｂと、その基部４ｂと直交する腕部４ｃとを持つＴ字状の断面形状を有して粘着シート３に沿って直線状または円弧状に延在し、装置本体１の端部側面の対応する断面形状の溝部１ｈ内に、その掛合部４ａの延在方向に直線的にまたは回動されて挿入される。
【００３３】
図１１は、上記各実施例における二方向掛合部の他の構成例を示す斜視図であり、この例では図示のように、コネクタ４の掛合部４ａの基部４ｂおよび腕部４ｃの少なくとも一方（図示例では腕部４ｃ）は、挿入方向先端側に近づくほど厚さが薄い楔状をなしている。
【００３４】
図１２は、上記各実施例における二方向掛合部の他の構成例を示す斜視図であり、この例では図示のように、装置本体１の溝部１ｃ内に、コネクタ４の掛合部４ａの腕部４ｃの鋸歯部４ｆと掛合するラチェット１４ａを持つとともにバネ１３でその掛合方向へ常時附勢された解除レバー１４を有している。これにより、装置本体１の溝部１ｃ内へのコネクタ４の掛合部４ａの挿入時はラチェット１４ａが鋸歯部４ｆの斜面で押されてバネ１３に抗して解除レバー１４が後退し、抜け出し方向へはそのラチェット１４ａが、バネ１３で附勢されて鋸歯部４ｆの端面に当接し掛合部４ａの抜け出しを確実に防止する。そしてバネ１３に抗して解除レバー１４を押し込めば、ラチェット１４ａが鋸歯部４ｆの端面から外れて装置本体１の溝部１ｃからのコネクタ４の掛合部４ａの抜き出しが可能になる。
【００３５】
以上、図示例に基づき説明したが、この発明は上述の例に限定されるものでなく、特許請求の範囲の記載範囲内で適宜変更し得るものであり、例えば、装置本体１の平面形状は円形状あるいは楕円形状でも良い。また、ロードセル８は、歪ゲージを用いたものに限られず、静電容量式やピエゾ素子式等のものでも良い。
【００３６】
そして、上記実施例の呼吸センサの出力信号は、外部から入力される電子式体温計からの出力信号や、パルスオキシメーターの如き血中酸素飽和度センサからの出力信号等と一緒にメモリ５ｃ内に記録しても良い。
【産業上の利用可能性】
【００３７】
かくしてこの発明の呼吸検出装置によれば、主として装置本体とエアバッグとを具えてなる簡易かつ安価な構成で被験者の呼吸を検出することができ、また、装置本体とエアバッグの面積を大きくすることで、腹部からエアバッグに加わる圧力を大きくして呼吸の検出感度を容易に高めることができ、さらにエアバッグが被験者の腹部から押圧力を受けるので、エアバッグ内の空気の圧力変化または当該装置本体が前記エアバッグから受ける押圧力の変化から被験者の腹圧や心拍等の生態情報も検出することができ、そして装置本体を腹部に装着するだけなので、被験者の装着感を良好ならしめることができる。
【符号の説明】
【００３８】
１  装置本体
１ａ  筐体
１ｂ  レバー
１ｃ  溝部
１ｄ  フランジ部
１ｅ  掛合部
１ｆ  基部
１ｇ  腕部
１ｈ  溝部
２  エアバッグ
３  粘着シート
３ａ  穴
４  コネクタ
４ａ  掛合部
４ｂ  基部
４ｃ  腕部
４ｄ  溝部
４ｅ  基台
４ｆ  鋸歯部
５  計測ユニット
５ａ  Ａ／Ｄコンバータ
５ｂ  中央処理ユニット（ＣＰＵ）
５ｃ  メモリ
５ｄ  フィルタ
５ｅ  アンプ
５ｆ  ドライバ
５ｇ  センサ
５ｈ  リリースバルブ
５ｉ  エアポンプ
６  電池
７  受圧板
８  ロードセル
９  エアポンプ
１０  インジケータ
１１  カプラ
１２  エアポンプ
１３  バネ
１４  解除レバー
１４ａ  ラチェット
Ａ  腹部
【図１】
2014102961.tif 000003
【図２】
2014102961.tif 000004
【図３】
2014102961.tif 000005
【図４】
2014102961.tif 000006
【図５】
2014102961.tif 000007
【図６】
2014102961.tif 000008
【図７】
2014102961.tif 000009
【図８】
2014102961.tif 000010
【図９】
2014102961.tif 000011
【図１０】
2014102961.tif 000012
【図１１】
2014102961.tif 000013
【図１２】
2014102961.tif 000014
【国際調査報告】
2014102961.tif 000015
2014102961.tif 000016